(57)【要約】【課題】簡素な構造であるとともに骨切りが簡単な作業でできる手術器具及び手術器具システムを提供する。【解決手段】人工膝関節単顆置換術において、手術器具１は、所定厚のスペーサ部２と、スペーサ部２に対して垂直な方向に延びるガイド部３とを備える。スペーサ部２は、膝関節が屈曲位の状態にあるときにおいて大腿骨後顆１１２の一方に当接する後顆当接面２０を有する。ガイド部３は、後顆当接面２０に対して垂直に延び大腿骨遠位端部１１１に当接する遠位端部当接面３０と、ピンが挿通されることで遠位端部当接面３０を大腿骨遠位端部１１１に保持するためのピン孔３２と、後顆当接面２０と平行な方向に沿って貫通して設けられているとともに骨切除器具Ｃが挿入されるガイドスリット３３とを有している。【選択図】図１
2020099568.tif 000002
【特許請求の範囲】
【請求項１】
人工膝関節単顆置換術において、大腿骨の後顆の一方を切除する骨切除器具を案内するための手術器具であって、
所定の厚さを有するスペーサ部と、前記スペーサ部に対して垂直な方向に延びるガイド部と、を備え、
前記スペーサ部は、患者の膝関節が屈曲位の状態にあるときにおいて前記大腿骨の後顆の一方に当接する後顆当接面を有し、
前記ガイド部は、前記後顆当接面に対して垂直に延び前記大腿骨の遠位端部に当接する遠位端部当接面と、前記大腿骨に挿入されるピンが挿通されることで前記遠位端部当接面を前記大腿骨の前記遠位端部に保持するためのピン孔と、前記後顆当接面と平行な方向に沿って貫通して設けられているとともに前記骨切除器具が挿入されるガイドスリットと、を有していることを特徴とする、手術器具。
【請求項２】
請求項１に記載の手術器具であって、
前記ピン孔は、前記ガイド部を貫通する貫通孔として設けられ、前記ガイド部において、少なくとも２つ設けられていることを特徴とする、手術器具。
【請求項３】
請求項２に記載の手術器具であって、
前記ガイド部において少なくとも２つ設けられた前記ピン孔は、前記ガイド部をそれぞれ貫通する方向が異なっていることを特徴とする、手術器具。
【請求項４】
請求項１乃至請求項３のいずれか１項に記載の手術器具であって、
前記ガイド部における前記ガイドスリットが設けられている部分が、前記ガイド部におけるガイドスリットが設けられていない部分よりも幅方向の寸法が大きくなるように構成されていることを特徴とする、手術器具。
【請求項５】
人工膝関節単顆置換術において用いられる手術器具システムであって、
大腿骨後顆の一方を切除する骨切除器具を案内するための手術器具を少なくとも２つ含み、
前記手術器具は、所定の厚さを有するスペーサ部と、前記スペーサ部に対して垂直な方向に延びるガイド部と、を備え、
前記スペーサ部は、患者の膝関節が屈曲位の状態にあるときにおいて前記大腿骨後顆の一方に当接する後顆当接面を有し、
前記ガイド部は、前記後顆当接面に対して垂直に延び前記大腿骨の遠位端部に当接する遠位端部当接面と、前記大腿骨に挿入されるピンが挿通されることで前記遠位端部当接面を前記大腿骨の前記遠位端部に保持するためのピン孔と、前記後顆当接面と平行な方向に沿って貫通して設けられているとともに前記骨切除器具が挿入されるガイドスリットと、を有し、
少なくとも２つの前記手術器具は、前記後顆当接面から前記ガイドスリットまでの距離がそれぞれ異なることを特徴とする、手術器具システム。
【発明の詳細な説明】
【技術分野】
【０００１】
本発明は、人工膝関節置換術、特に人工膝関節単顆置換術において用いられる手術器具及び手術器具システムに関する。
【背景技術】
【０００２】
従来から、人工膝関節単顆置換術においては、人工膝関節（以下インプラントとも称する）の取り付け後において膝の曲げ伸ばしがスムーズになるように、膝関節の屈曲位における脛骨と大腿骨後顆とのギャップを基準に、伸展位の状態における大腿骨遠位端の骨切り量を調整して骨切りが行われている。大腿骨遠位端の骨切り量については、インプラントを取り付けた状態での伸展位における脛骨と大腿骨との距離である伸展位ギャップが、インプラントを取り付けた状態での屈曲位における脛骨と大腿骨との距離である屈曲位ギャップの寸法と同じになるように調整される。
【０００３】
例えば、人工膝関節単顆置換術において骨切りする手順は、非特許文献１に示すような、脛骨の近位端部の切除後に大腿骨との間に挿入する略Ｌ字状のスペーサ部と、大腿骨の骨切りを行う骨切除器具を案内するためスペーサ部に取り付けられるガイド部とで構成される手術器具を用いて行われる。具体的には、以下のような手順によって行われる。
【０００４】
非特許文献１に記載の人工膝関節単顆置換術においては、まず、患部側の顆（通常は内顆）に対向する脛骨近位端部を平坦状に切除する。
【０００５】
次に、近位端部が切除された脛骨と、大腿骨との間に、手術器具のスペーサ部を挿入する。このとき、伸展位と屈曲位のそれぞれの状態において、脛骨の近位端部と大腿骨遠位端部との間に挿入可能である最大厚さのスペーサ部が挿入される。スペーサ部の厚みは伸展位と屈曲位のそれぞれの状態で確認され比較される。
【０００６】
次に、伸展位の状態で、スペーサ部を脛骨近位端部と大腿骨遠位端部との間に挿入し、大腿骨遠位端を切除するためのスリットが形成された第１のガイド部をスペーサ部に取り付ける。そして、伸展位の状態で大腿骨遠位端を第１のガイド部のスリットに案内された骨切除器具で切除する。このときの大腿骨遠位端を切除する位置は、インプラントの取り付け後の伸展位ギャップが、骨切り前における屈曲位ギャップの寸法と同じになるように設定する。
【０００７】
次に、スペーサ部から第１のガイド部を取り外し、伸展位の状態の膝関節を屈曲位の状態にする。そして、大腿骨後顆の切除と面取りをするためのスリットが形成された第２のガイド部をスペーサ部に取り付けた上で、ガイド部を骨切りされた大腿骨遠位端部にピンで固定する。
【０００８】
ガイド部を固定する一方スペーサ部を取り外した後、大腿骨後顆を骨切除器具によってインプラントの厚み分だけ切除する。次に、大腿骨後顆を切除した大腿骨遠位端部は、更に、骨切除器具で面取りを行う。そして、これらの手順によって骨切りされた大腿骨遠位端部にインプラントを取り付ける。上記のように大腿骨遠位端の切除位置を調整して骨切りすることで伸展位ギャップと屈曲位ギャップとを同じ寸法とし、インプラントの取り付け後の膝関節の曲げ伸ばしをスムーズにすることを目的としている。
【先行技術文献】
【非特許文献】
【０００９】
【非特許文献１】ｓｔｒｙｋｅｒ、“Ｔｒｉａｔｈｌｏｎ  ＰＫＲ  Ｐａｒｔｉａｌ  Ｋｎｅｅ  Ｒｅｓｕｒｆａｃｉｎｇ  Ｓｕｒｇｉｃａｌ  Ｐｒｏｔｏｃｏｌ”、［ｏｎｌｉｎｅ］、８頁乃至１８頁、［平成３０年１１月３０日検索］、インターネット〈ＵＲＬ：ｈｔｔｐ：／／ｗｗｗ．ｓｔｒｙｋｅｒｍｅｄｅｄ．ｃｏｍ／ｍｅｄｉａ／２０４７／ｔｒｉａｔｈｏｎ−ｐｋｒ−ｓｕｒｇｉｃａｌ−ｔｅｃｈｎｉｑｕｅ．ｐｄｆ〉
【発明の概要】
【発明が解決しようとする課題】
【００１０】
しかしながら、非特許文献１に記載の人工膝関節単顆置換術においては、スペーサ部とは別体の第１のガイド部、及び第２のガイド部を使用する等、手術に際して複数の部品が必要とされるものである。また、膝関節の曲げ伸ばしをスムーズに行えるようにするために、伸展位の状態で骨切り量を調整して大腿骨遠位端を切除しているが、屈曲位の状態で骨切り量を調整して大腿骨後顆を切除することは行っていない。このため、インプラントの取り付け後の伸展位ギャップと屈曲位ギャップの寸法とが同じになるように、屈曲位の状態で大腿骨後顆を切除することによって、簡単な作業で容易にギャップ調整ができる器具の実現が望まれる。
【００１１】
本発明は、上記課題を解決するためのものであり、その目的は、簡素な構造であるとともに骨切りが簡単な作業でできる手術器具及び手術器具システムを提供することである。
【課題を解決するための手段】
【００１２】
（１）上記課題を解決するため、本発明のある局面に係る手術器具は、人工膝関節単顆置換術において、大腿骨後顆の一方を切除する骨切除器具を案内するための手術器具であって、所定の厚さを有するスペーサ部と、前記スペーサ部に対して垂直な方向に延びるガイド部と、を備え、前記スペーサ部は、患者の膝関節が屈曲位の状態にあるときにおいて前記大腿骨後顆の一方に当接する後顆当接面を有し、前記ガイド部は、前記後顆当接面に対して垂直に延び前記大腿骨遠位端部に当接する遠位端部当接面と、前記大腿骨に挿入されるピンが挿通されることで前記遠位端部当接面を前記大腿骨の前記遠位端部に保持するためのピン孔と、前記後顆当接面と平行な方向に沿って貫通して設けられているとともに前記骨切除器具が挿入されるガイドスリットと、を有していることを特徴とする。
【００１３】
上記の構成によると、手術器具は、スペーサ部と、スペーサ部に対して垂直な方向に延びるガイド部と、を備えている。このため、術者は、手術器具を、スペーサ部が大腿骨後顆に対して沿うように配置するとともにガイド部を大腿骨遠位端部に沿うように配置することができる。また、スペーサ部は、屈曲位の状態において大腿骨後顆の一方に当接する後顆当接面を有し、ガイド部は、後顆当接面に対して垂直に延び大腿骨遠位端部に当接する遠位端部当接面と、遠位端部当接面を大腿骨遠位端部に保持するためのピン孔と、骨切除器具が挿入されるガイドスリットとを有している。このため、術者は、人工膝関節単顆置換術において、スペーサ部とガイドスリットを有するガイド部とで構成される簡素な構造の手術器具を使用することで、屈曲位における大腿骨後顆を骨切除器具によって容易に骨切りすることができる。
【００１４】
また、従来、膝関節のスムーズな屈曲を実現するために、人工膝関節単顆置換術において、インプラントを取り付けた後における伸展位ギャップと屈曲位ギャップとが同じ寸法になるように伸展位の状態において大腿骨遠位端部を切除していた。このため、伸展位でギャップ調整する手間があった。しかしながら、上記構成によると、屈曲位における大腿骨後顆の骨切り量を調整して骨切りすることが可能となり、ガイド部のガイドスリットに案内された骨切除器具によって大腿骨後顆が切除される際にインプラント取り付け後の屈曲位ギャップが、骨切り前における伸展位ギャップの寸法と同じになるように調整することができる。このため、インプラントを取り付けた後における伸展位ギャップと屈曲位ギャップとが同じ寸法になるように伸展位の状態で大腿骨遠位端の骨切り量を調整する必要がなくなる。これにより、人工膝関節単顆置換術において、屈曲位における大腿骨後顆の骨切り量を調整して、伸展位における骨切り量を調整することなくインプラントの厚み分だけ切除するという簡単な作業で骨切りをすることができる。
【００１５】
従って、簡素な構造であるとともに骨切りが簡単な作業でできる手術器具を提供することができる。
【００１６】
（２）好ましくは、前記ピン孔は、前記ガイド部を貫通する貫通孔として設けられ、前記ガイド部において、少なくとも２つ設けられていることを特徴とする。
【００１７】
この構成によると、ガイド部には、貫通孔としてピン孔が少なくとも２つ設けられている。そして、これら少なくとも２つのピン孔に手術器具を大腿骨に固定するためのピンが挿通される。これにより、手術器具を、大腿骨に対して動かないように複数のピンによってより強固に固定して、安定した状態でより容易に骨切り作業を行うことができる。
【００１８】
（３）好ましくは、前記ガイド部において少なくとも２つ設けられた前記ピン孔は、前記ガイド部をそれぞれ貫通する方向が異なっていることを特徴とする。
【００１９】
この構成によると、ガイド部において少なくとも２つ設けられたピン孔が、それぞれ異なる方向に貫通している。このため、同じ方向に貫通している複数のピン孔が設けられた手術器具と比較した場合、手術器具の骨への取り付けの容易さを確保しながら、手術器具がピンの抜き刺し方向へ外れ易くなるのを抑制することができる。
【００２０】
（４）好ましくは、前記ガイド部における前記ガイドスリットが設けられている部分が、前記ガイド部におけるガイドスリットが設けられていない部分よりも幅方向の寸法が大きくなるように構成されていることを特徴とする。
【００２１】
この構成によると、ガイド部におけるガイドスリットが設けられている部分が、幅方向の寸法が大きく形成されている。これにより、ガイドスリットに挿入された状態で骨の切除を行う骨切除器具の可動範囲を確保しながら手術器具全体をコンパクトにすることができる。
【００２２】
（５）好ましくは、人工膝関節単顆置換術において用いられる手術器具システムであって、大腿骨後顆の一方を切除する骨切除器具を案内するための手術器具を少なくとも２つ含み、前記手術器具は、所定の厚さを有するスペーサ部と、前記スペーサ部に対して垂直な方向に延びるガイド部と、を備え、前記スペーサ部は、患者の膝関節が屈曲位の状態にあるときにおいて前記大腿骨後顆の一方に当接する後顆当接面を有し、前記ガイド部は、前記後顆当接面に対して垂直に延び前記大腿骨遠位端部に当接する遠位端部当接面と、前記大腿骨に挿入されるピンが挿通されることで前記遠位端部当接面を前記大腿骨の前記遠位端部に保持するためのピン孔と、前記後顆当接面と平行な方向に沿って貫通して設けられているとともに前記骨切除器具が挿入されるガイドスリットと、を有し、少なくとも２つの前記手術器具は、前記後顆当接面から前記ガイドスリットまでの距離がそれぞれ異なることを特徴とする。
【００２３】
この構成によると、手術器具は、スペーサ部と、スペーサ部に対して垂直な方向に延びるガイド部と、を備えている。このため、術者は、手術器具を、スペーサ部が大腿骨後顆に対して沿うように配置するとともにガイド部を大腿骨遠位端部に沿うように配置することができる。また、スペーサ部は、屈曲位の状態において大腿骨後顆の一方に当接する後顆当接面を有し、ガイド部は、後顆当接面に対して垂直に延び大腿骨遠位端部に当接する遠位端部当接面と、遠位端部当接面を大腿骨遠位端部に保持するためのピン孔と、骨切除器具が挿入されるガイドスリットとを有している。このため、術者は、人工膝関節単顆置換術において、上記のような簡素な構造の手術器具を使用して、屈曲位における大腿骨後顆をガイドスリットによって案内された骨切除器具によって容易に骨切りを行うことができる。
【００２４】
また、従来、膝関節のスムーズな屈曲を実現するために、人工膝関節単顆置換術において、インプラントを取り付けた後における伸展位ギャップと屈曲位ギャップとが同じ寸法になるように伸展位の状態において大腿骨遠位端部を切除していた。しかしながら、この構成によると、屈曲位における大腿骨後顆の骨切り量を調整して骨切りすることが可能となり、ガイド部のガイドスリットに案内された骨切除器具によって大腿骨後顆が切除される際にインプラント取り付け後の屈曲位ギャップが、骨切り前における伸展位ギャップの寸法と同じになるように調整することができる。このため、インプラントを取り付けた後における伸展位ギャップと屈曲位ギャップとが同じ寸法になるようにするため伸展位の状態で大腿骨遠位端の骨切り量を調整する必要がなくなる。これにより、人工膝関節単顆置換術において、屈曲位における大腿骨後顆の骨切り量を調整して、伸展位における骨切り量を調整することなくインプラントの厚み分だけ切除するという簡単な作業で骨切りをすることができる。
【００２５】
また、この構成によると、手術器具は、後顆当接面と平行な方向に沿って貫通して設けられているとともに骨切除器具が挿入されるガイドスリットを有するガイド部を備えている。そして、この手術器具は、少なくとも２つ以上あり、後顆当接面からガイドスリットまでの距離がそれぞれで異なっている。このため、屈曲位において大腿骨後顆を切除する際において、手術器具を取り替えることで簡単に骨切り量を調整することができる。
【００２６】
従って、簡素な構造であるとともに骨切りが簡単な作業でできる手術器具システムを提供することができる。
【発明の効果】
【００２７】
本発明によると、簡素な構造であるとともに簡単な作業で骨切りができる手術器具及び手術器具システムを提供することができる。
【図面の簡単な説明】
【００２８】
【図１】本発明の一実施形態に係る手術器具を示す図であって、手術器具を大腿骨遠位端部に取り付けた状態を示す図である。
【図２】本発明の一実施形態に係る手術器具システムを示す図である。
【図３】本発明の一実施形態に係る手術器具を示す斜視図である。
【図４】図３に示す手術器具を示す側面図である。
【図５】図３に示す手術器具を示す正面図である。
【発明を実施するための形態】
【００２９】
以下、本発明の実施形態について図面を参照しながら説明する。尚、本発明は、人工膝関節単顆置換術において用いられる手術器具及び手術器具システムとして、広く適用することができるものである。
【００３０】
図１は、本発明の一実施形態に係る手術器具を示す図であって、手術器具１を大腿骨遠位端部１１１に取り付けた状態を示す図である。図１では人体の左脚膝関節の内顆側に手術器具１を取り付けた状態を例示している。図２は、本発明の一実施形態に係る手術器具システム１０を示す図である。図３は、本発明の一実施形態に係る手術器具１を示す斜視図である。図４は、図３に示す手術器具１を示す側面図である。図５は、図３に示す手術器具１を示す正面図である。尚、図１及び図３では、外形を表すための細線を付している。
【００３１】
各図において示す方向は、手術器具を屈曲位の状態で取り付けた場合の人体を基準に説明している。具体的には、各図面上において、前、後、上、下、左、右とそれぞれ記載された方向が人体の前、後、上、下、左、右の方向に対応している。また、上と記載された矢印が指示する方向を上側又は上方と称し、下と記載された矢印が指示する方向を下側又は下方と称し、前と記載された矢印が指示する方向を前側又は前方と称し、後と記載された矢印が指示する方向を後側又は後方と称し、左と記載された矢印が指示する方向を左側又は左方と称し、右と記載された矢印が指示する方向を右側又は右方と称する。また、左右方向については、幅方向Ｄとも称する。
【００３２】
本実施形態に示す手術器具１は、人工膝関節単顆置換術において、大腿骨１１０の後顆１１２の一方を切除する長尺の薄板状の骨切除器具Ｃを案内するためのものである。本実施形態における人工膝関節単顆置換術において使用される手術器具１は、手術器具システム１０として複数で使用される。即ち、手術器具システム１０は、大腿骨後顆１１２を切除するに際して、例えば図２に示すような、少なくとも２つの手術器具１ａ、１ｂが使用される。手術器具システム１０の各手術器具１ａ、１ｂは、後述するガイドスリット３３が設けられる位置がそれぞれ異なる。
【００３３】
手術器具１は、図１を参照して、人工膝関節単顆置換術においては、脛骨１００と大腿骨１１０との間に配置されて使用される。より具体的には、手術器具１は、大腿骨遠位端部１１１と、ボーンソー等の骨切除器具Ｃで切除された大腿骨後顆１１２の片側に対向した状態で取り付けられる。手術器具１は、スペーサ部２と、ガイド部３と、を備える。手術器具システム１０は、大腿骨後顆１１２を所定位置で切除するために使用されるものであり、手術器具１を複数備えている。本実施形態における人工膝関節単顆置換術において使用される手術器具システム１０は、手術器具１ａと、手術器具１ｂの２つの手術器具１で構成されている。手術器具１ａと手術器具１ｂは、ほぼ同様に構成されているが、後述する後顆当接面２０からガイドスリット３３までの距離がそれぞれ異なる。
【００３４】
スペーサ部２は、大腿骨１１０の後顆１１２に対向する位置に配置される。スペーサ部２は、所定の厚さを有して平坦な板状に延びる部材として設けられている。スペーサ部２は、膝関節が屈曲位の状態にあるとき脛骨近位端部１０１と大腿骨後顆１１２との間において一定の幅を有して前後方向に延びている。スペーサ部２は、大腿骨１１０の後顆１１２に沿うように設けられる。スペーサ部２は、図２を参照して、後顆当接面２０と、脛骨対向面２１と、を有している。
【００３５】
後顆当接面２０は、図１乃至図４を参照して、スペーサ部２において大腿骨１１０の後顆１１２に対向する側の面として平坦状に形成されている。後顆当接面２０は、患者の膝関節が屈曲位の状態にあるときにおいて、大腿骨１１０の後顆１１２の一方に当接する。より具体的には、スペーサ部２の後顆当接面２０は、大腿骨１１０の後顆１１２の最も突出した部分と当接する。脛骨対向面２１は、スペーサ部２の脛骨１００に対向する側の面として平坦状に形成されている。
【００３６】
ガイド部３は、大腿骨１１０の遠位端１１１に対向する位置に配置される。ガイド部３は、所定の厚さを有して、大腿骨１１０の遠位端１１１に沿って配置される部分として設けられる。ガイド部３は、スペーサ部２の下側の端部から前方に延びている。即ち、スペーサ部２に対して垂直な方向である前後方向に延びている。ガイド部３は、遠位端部当接面３０と、外面３１と、ピン孔３２と、ガイドスリット３３と、凹部３４と、を有している。
【００３７】
遠位端部当接面３０は、ガイド部３において大腿骨１１０の遠位端１１１に対向する側の面として平坦状に形成されている。遠位端部当接面３０は、スペーサ部２の後顆当接面２０に対して垂直に延びる。また、遠位端部当接面３０は、大腿骨１１０の遠位端１１１に当接する。より具体的には、ガイド部３の遠位端部当接面３０は、切除した大腿骨遠位端１１１の面に当接する。尚、大腿骨遠位端１１１を切除しないで手術器具１を取り付ける場合には、遠位端部当接面３０は、大腿骨１１０の遠位端１１１の最も突出した部分に当接する。外面３１は、図示しないピンが差し込まれる側の面として構成されている。
【００３８】
ピン孔３２は、ガイド部３を貫通する貫通孔として設けられている。ピン孔３２には、手術器具１を大腿骨１１０に固定するためのピンが挿通される。ピン孔３２は、大腿骨１１０に挿入されるピンが挿通されることで遠位端部当接面３０を大腿骨１１０の遠位端１１１に保持する。ピン孔３２は、ガイド部３において少なくとも２つ設けられている。また、ガイド部３において少なくとも２つ設けられたピン孔３２は、ガイド部３をそれぞれ貫通する方向が異なっている。
【００３９】
本実施形態に係るピン孔３２は、図２乃至図５に示すように、ガイド部３において２つ設けられており、一方のピン孔３２ａは、ガイド部３において、上下方向、即ち、図１に示す大腿骨１１０の軸線Ｌ１１０と平行な方向に貫通して設けられている。また、他方のピン孔３２ｂは、図４に示すように、ガイド部３において外面３１から遠位端部当接面３０に向かうに従ってピン孔３２ａに近接するように貫通して設けられている。
【００４０】
ガイドスリット３３は、骨切除器具Ｃを挿入して大腿骨後顆１１２を所定位置で骨切りするために設けられている。ガイドスリット３３は、スペーサ部２の後顆当接面２０から所定距離離れた位置において後顆当接面２０と平行な方向に沿って貫通して設けられている。ガイドスリット３３には、図３に示すように、外面３１側から骨切除器具Ｃが挿入される。ガイドスリット３３に挿入された骨切除器具Ｃは、スペーサ部２の後顆当接面２０から所定距離離れた位置において、後顆当接面２０と平行な切除面を形成するように大腿骨後顆１１２を切除することができる。
【００４１】
図５を参照して、ガイド部３におけるガイドスリット３３が設けられている部分は、ガイド部３におけるガイドスリット３３が設けられていない部分よりも幅方向Ｄの寸法が大きくなるように構成されている。そして、ガイドスリット３３は、ガイド部３の幅よりも大きな幅を有して構成されている。また、ガイドスリット３３は、ガイド部３における遠位端部当接面３０側が、ガイド部３の左右方向の面である両側面において外方に開口する状態で形成されている。このため、ガイドスリット３３に挿入された骨切除器具Ｃは、刃の先端側を手術器具１の幅方向、即ち、左右方向に大きく振る操作が可能となっている。
【００４２】
凹部３４は、図１、図２、及び図４に示すように、ガイド部３の外面３１側に形成されている。凹部３４内には、ピン孔３２ｂに挿入されるピンがスリットガイド３３に挿入されるボーンソーと干渉しないようにピン孔３２ｂが配置されている。
【００４３】
尚、本実施形態における人工膝関節単顆置換術において使用される少なくとも２つの手術器具１ａ、１ｂは、スペーサ部２の後顆当接面２０からガイドスリット３３までの距離が、それぞれ異なるように構成されている。具体的には、手術に際して、図２に示すように、大腿骨後顆１１２の切除する位置が異なるガイドスリット３３が設けられた手術器具１が２つ用意され、大腿骨後顆１１２の骨切りを行う厚みに応じて取り替えられる。
【００４４】
本実施形態の骨切りの手順は、上述した手術器具１を使用することによって行われる。以下、手術器具１を使用して行われる骨切りの手順について説明する。
【００４５】
本実施形態の骨切りでは、まず、屈曲位の状態において、大腿骨遠位端部１１１の骨棘を取り除く。次に、脛骨近位端部１０１における大腿骨後顆１１２の片側に対向する部分を図示しない専用の器具を用いて平坦状に切除する。
【００４６】
次に、近位端部が切除された脛骨１００と大腿骨１１０との間にスペーサ部２が挿入されるように、スペーサ部２とガイド部３が一体に構成された手術器具１を大腿骨１１０に設置する。このとき、伸展位ギャップと屈曲位ギャップを確認した上で、後顆当接面２０の骨切り量を調整するために、後顆当接面２０からガイドスリット３３までの距離が適切な手術器具１を膝関節に設置する。尚、手術器具１を膝関節に設置するに際し、前もって大腿骨遠位端部１１１を平坦状に切除してから行ってもよい。
【００４７】
膝関節に設置した手術器具１は、スペーサ部２の後顆当接面２０が大腿骨後顆１１２に当接し、ガイド部３の遠位端部当接面３０が大腿骨遠位端１１３に当接した状態で大腿骨遠位端部１１１にピンで固定される。
【００４８】
手術器具１を大腿骨遠位端部１１１に固定した後、大腿骨後顆１１２を、スリットガイド３３によって案内された骨切除器具Ｃで切除する。
【００４９】
次に、手術器具１を大腿骨遠位端部１１１から取り外し、大腿骨遠位端部１１１をインプラントの厚み分切除する。更に、大腿骨遠位端部１１１を面取りした上でインプラントを取り付ける。上記の手順によって行われた人工膝関節単顆置換術により、インプラント取り付け後の屈曲位ギャップと伸展位ギャップとは同一寸法になるため、患者は、膝関節の曲げ伸ばしをスムーズに行うことができる。
【００５０】
［本実施形態の作用及び効果］
本実施形態における、手術器具１、及び手術器具システム１０の手術器具１は、スペーサ部２と、スペーサ部２に対して垂直な方向に延びるガイド部３と、を備えている。このため、術者は、手術器具１を、スペーサ部２が大腿骨後顆１１２に対して沿うように配置するとともにガイド部３を大腿骨遠位端部１１１に沿うように配置することができる。また、スペーサ部２は、屈曲位の状態において大腿骨後顆１１２の一方に当接する後顆当接面２０を有し、ガイド部３は、後顆当接面２０に対して垂直に延び大腿骨遠位端部１１１に当接する遠位端部当接面３０と、遠位端部当接面３０を大腿骨遠位端部１１１に保持するためのピン孔３２と、骨切除器具Ｃが挿入されるガイドスリット３３とを有している。このため、術者は、人工膝関節単顆置換術において、上記のような簡素な構造の手術器具１を使用して、屈曲位における大腿骨後顆１１２をガイドスリット３３によって案内された骨切除器具Ｃによって骨切りすることができる。
【００５１】
また、従来、膝関節のスムーズな屈曲を実現するために、人工膝関節単顆置換術において、インプラントを取り付けた後における屈曲位ギャップと伸展位ギャップとの寸法が同じになるように伸展位の状態において大腿骨遠位端部１１１を切除していた。このため、伸展位でギャップ調整する手間があった。しかしながら、この手術器具１、及び手術器具システム１０の手術器具１によると、屈曲位における大腿骨後顆１１２の骨切り量を調整して骨切りすることが可能となり、ガイド部３のガイドスリット３３に案内された骨切除器具Ｃによって大腿骨後顆１１２が切除される際にインプラント取り付け後の屈曲位ギャップが、骨切り前における伸展位ギャップの寸法と同じになるように調整することができる。このため、インプラントを取り付けた後における伸展位ギャップと屈曲位ギャップとが同じ寸法になるように伸展位の状態で大腿骨遠位端１１３の骨切り量を調整する必要がなくなる。これにより、人工膝関節単顆置換術において、屈曲位における大腿骨後顆１１２の骨切り量を調整して、伸展位における骨切り量を調整することなくインプラントの厚み分だけ切除するという簡単な作業で骨切りをすることができる。
【００５２】
従って、簡素な構造であるとともに骨切りが簡単な作業でできる手術器具１、及び手術器具システム１０の手術器具１を提供することができる。
【００５３】
また、この構成によると、手術器具システム１０の手術器具１は、後顆当接面２０と平行な方向に沿って貫通して設けられているとともに骨切除器具Ｃが挿入されるガイドスリット３３を有するガイド部３を備えている。そして、この手術器具システム１０の手術器具１は、少なくとも２つ以上であり、後顆当接面２０からガイドスリット３３までの距離がそれぞれで異なっている。このため、屈曲位において大腿骨後顆１１２を切除する際において手術器具１を取り替えることで簡単に骨切り量を調整することができる。
【００５４】
また、手術器具１によると、ガイド部３には、貫通孔としてピン孔３２が少なくとも２つ設けられている。そして、これら少なくとも２つのピン孔３２に手術器具１を大腿骨１１０に固定するためのピンが挿通される。これにより、手術器具１は、大腿骨に対して動かないように複数のピンによってより強固に固定される。
【００５５】
また、手術器具１によると、ガイド部３において少なくとも２つ設けられたピン孔３２が、それぞれ異なる方向に貫通している。このため、同じ方向に貫通している複数のピン孔３２が設けられたガイド部３と比較した場合、取り付けの容易さを確保しながら、手術器具１がピンの抜き刺し方向へ外れ易くなるのを抑制することができる。
【００５６】
また、手術器具１によると、図５に示すように、ガイド部３におけるガイドスリット３３が設けられている部分の幅方向Ｄの寸法が、ガイドスリット３３の設けられていない部分よりも大きく形成されている。これにより、ガイドスリットに挿入された状態で骨の切除を行う骨切除器具の可動範囲を確保しながら手術器具全体をコンパクトにすることができる。
【００５７】
［変形例］
以上、本発明の実施形態について説明したが、本発明は上述の実施の形態に限られるものではなく、特許請求の範囲に記載した限りにおいて様々に変更して実施することができるものである。例えば、次のような変形例が実施されてもよい。
【００５８】
（１）前述の実施形態では、人工膝関節単顆置換術において使用される手術器具システム１０として２つの手術器具１ａ、１ｂを用意して使用する場合を例に説明したが、この通りでなくてもよい。例えば、１つの手術器具１を用意して使用してもよく、また、３つ以上の手術器具１を用意して手術において使用してもよい。
【００５９】
（２）また、前述の実施形態では、スペーサ部２とガイド部３が一体に構成された手術器具１を例に説明したが、この通りでなくてもよい。例えば、スペーサ部２とガイド部３が別体で構成されており、手術に際して、組み合わせて使用するものであってもよい。
【産業上の利用可能性】
【００６０】
本発明は、人工膝関節単顆置換術において用いられる手術器具及び手術器具システムとして、広く適用することができるものである。
【符号の説明】
【００６１】
１                  手術器具
１０                手術器具システム
２                  スペーサ部
２０                後顆当接面
３                  ガイド部
３０                遠位端部当接面
３２                ピン孔
３３                ガイドスリット
１００              脛骨
１１０              大腿骨
１１１              大腿骨遠位端部
１１２              大腿骨後顆
Ｃ                  骨切除器具
Ｄ                  幅方向
【図１】
2020099568.tif 000003
【図２】
2020099568.tif 000004
【図３】
2020099568.tif 000005
【図４】
2020099568.tif 000006
【図５】
2020099568.tif 000007